(57)【要約】【課題】受信階層の切替えを映像信号と音声信号とで独立に行うことができ、該切替えが行われる場合に、映像と音声との同期をとって出力すること。【解決手段】移動体用デジタル放送受信装置に、受信品質に応じて、出力する地上波デジタルテレビジョン放送を映像信号及び音声信号毎に選択する手段と、選択結果に従って、選択中の地上波デジタルテレビジョン放送と選択された地上波デジタルテレビジョン放送との時間的なズレ量を、映像信号及び音声信号毎に検出する手段と、選択結果に従って、固定受信装置向けデジタル放送の映像信号と移動体受信装置向けデジタル放送の映像信号とを切替える手段と、選択結果に従って、固定受信装置向けデジタル放送の音声信号と移動体受信装置向けデジタル放送の音声信号とを切替える手段と、検出されたズレ量に従って、映像信号及び音声信号の内、進んでいる信号を該ズレ量遅延させて出力させる遅延制御手段とを備える。【選択図】図１
2009124479.tif 000002
【特許請求の範囲】
【請求項１】
移動体に搭載され、地上波デジタルテレビジョン放送を受信し、表示する移動体用デジタル放送受信装置であって、前記地上波デジタルテレビジョン放送は、固定受信装置向けデジタル放送と、移動体受信装置向けデジタル放送とを含み、
前記地上波デジタルテレビジョン放送の受信品質に応じて、出力する地上波デジタルテレビジョン放送を、映像信号及び音声信号毎に選択する選択手段と、
前記選択手段による選択結果に従って、提供中の地上波デジタルテレビジョン放送と、選択された地上波デジタルテレビジョン放送との時間的なズレ量を、映像信号及び音声信号毎に検出するズレ検出手段と、
前記選択手段による選択結果に従って、固定受信装置向けデジタル放送の映像信号と、移動体受信装置向けデジタル放送の映像信号とを切替える映像切替え制御手段と、
前記選択手段による選択結果に従って、固定受信装置向けデジタル放送の音声信号と、移動体受信装置向けデジタル放送の音声信号とを切替える音声切替え制御手段と、
前記ズレ検出手段により検出されたズレ量に従って、映像信号及び音声信号の内、進んでいる信号を該ズレ量遅延させて出力させる遅延制御手段と
を備えることを特徴とする移動体用デジタル放送受信装置。
【請求項２】
請求項１に記載の移動体用デジタル放送受信装置において、
映像信号及び音声信号共に移動体受信装置向けデジタル放送が提供されている状況で、映像信号を固定受信装置向けデジタル放送に切替えると判断した場合に、
前記ズレ検出手段は、前記移動体受信装置向けデジタル放送の映像信号と前記固定受信装置向けデジタル放送の映像信号とのズレ量を検出し、
前記遅延制御手段は、前記固定受信装置向けデジタル放送の映像信号が前記移動体受信装置向けデジタル放送の映像信号より遅れている場合、前記移動体受信装置向けデジタル放送の音声信号を該ズレ量遅延させて出力させることを特徴とする移動体用デジタル放送受信装置。
【請求項３】
請求項２に記載の移動体用デジタル放送受信装置において、
前記遅延制御手段は、前記固定受信装置向けデジタル放送の映像信号が前記移動体受信装置向けデジタル放送の映像信号より進んでいる場合、前記固定受信装置向けデジタル放送の映像信号を該ズレ量遅延させて出力させることを特徴とする移動体用デジタル放送受信装置。
【請求項４】
請求項１に記載の移動体用デジタル放送受信装置において、
映像信号及び音声信号共に固定向けデジタル放送が提供されている状況で、音声信号を移動体受信装置向けデジタル放送に切替えると判断した場合に、
前記ズレ検出手段は、前記固定受信装置向けデジタル放送の音声信号と前記移動体受信装置向けデジタル放送の音声信号とのズレ量を検出し、
前記遅延制御手段は、前記移動体受信装置向けデジタル放送の音声信号が前記固定受信装置向けデジタル放送の音声信号より遅れている場合、前記固定受信装置向けデジタル放送の映像信号を該ズレ量遅延させて出力させることを特徴とする移動体用デジタル放送受信装置。
【請求項５】
請求項４に記載の移動体用デジタル放送受信装置において、
前記遅延制御手段は、前記移動体受信装置向けデジタル放送の映像信号が前記固定受信装置向けデジタル放送の映像信号より進んでいる場合、前記移動体受信装置向けデジタル放送の音声信号を該ズレ量遅延させて出力させることを特徴とする移動体用デジタル放送受信装置。
【請求項６】
請求項１に記載の移動体用デジタル放送受信装置において、
映像信号及び音声信号共に固定向けデジタル放送が提供されている状況で、映像信号を移動体受信装置向けデジタル放送に切替えると判断した場合に、
前記ズレ検出手段は、前記固定受信装置向けデジタル放送の映像信号と前記移動体受信装置向けデジタル放送の映像信号とのズレ量を検出し、
前記遅延制御手段は、前記移動体受信装置向けデジタル放送の映像信号が前記固定受信装置向けデジタル放送の映像信号より遅れている場合、前記固定受信装置向けデジタル放送の音声信号を該ズレ量遅延させて出力させることを特徴とする移動体用デジタル放送受信装置。
【請求項７】
請求項６に記載の移動体用デジタル放送受信装置において、
前記遅延制御手段は、前記移動体受信装置向けデジタル放送の映像信号が前記固定受信装置向けデジタル放送の映像信号より進んでいる場合、前記移動体受信装置向けデジタル放送の映像信号を該ズレ量遅延させて出力させることを特徴とする移動体用デジタル放送受信装置。
【請求項８】
移動体に搭載され、地上波デジタルテレビジョン放送を受信し、表示する移動体用デジタル放送受信装置における制御方法であって、前記地上波デジタルテレビジョン放送は、固定受信装置向けデジタル放送と、移動体受信装置向けデジタル放送とを含み、
前記地上波デジタルテレビジョン放送の受信品質に応じて、出力する地上波デジタルテレビジョン放送を、映像信号及び音声信号毎に選択する選択ステップと、
前記選択ステップによる選択結果に従って、提供中の地上波デジタルテレビジョン放送と、選択された地上波デジタルテレビジョン放送との時間的なズレ量を、映像信号及び音声信号毎に検出するズレ検出ステップと、
前記選択ステップによる選択結果に従って、固定受信装置向けデジタル放送の映像信号と、移動体受信装置向けデジタル放送の映像信号とを切替える映像切替えステップと、
前記選択ステップによる選択結果に従って、固定受信装置向けデジタル放送の音声信号と、移動体受信装置向けデジタル放送の音声信号とを切替える音声切替えステップと、
前記ズレ検出ステップにより検出されたズレ量に従って、映像信号及び音声信号の内、進んでいる信号を該ズレ量遅延させて出力させる遅延制御ステップと
を有することを特徴とする制御方法。
【発明の詳細な説明】
【技術分野】
【０００１】
本発明は、移動体用デジタル放送受信装置に係り、特に、固定向けデジタル放送と移動体向けデジタル放送とを適宜選択して利用者に対して出力する移動体用デジタル放送受信装置及びその制御方法に関する。
【背景技術】
【０００２】
車両などの移動体に搭載され、地上波デジタルテレビジョン放送としての、鮮明画像の提供が可能な高ビットレートの固定向けデジタル放送と、移動体での受信に適した低ビットレートの移動体向けデジタル放送と、を共に受信し得るデジタル放送受信装置が知られている。
【０００３】
移動体向けデジタル放送は、固定向けデジタル放送に比べてデータ量が小さいため、相対的に映像・音声の質の低下を招かざるを得ない。一方、固定向けデジタル放送は、映像・音声の質を極めて高く保つことはできるが、移動体向けデジタル放送に比べて非受信となる受信レベルが高いため、移動体の移動中における受信に対して不向きである。そこで、従来の受信装置においては、移動速度や環境などの状況によっては移動体でも相対的に高品位の固定向け放送を受信できる可能性があることを考慮して、同一番組を放送するサイマル放送が行われる状況で、受信・出力する放送が固定向けデジタル放送と移動体向けデジタル放送とで適宜選択的に切り替わるようにしている。衛星デジタル放送では、固定向けデジタル放送を弱階層と呼び、移動体向けデジタル放送を強階層と呼ぶこともある。
【０００４】
このようなデジタル放送に対応した受信装置では、受信状況が良好な時には弱階層（高階層）を受信し、受信状況が低下すると強階層（低階層）を受信する。電波の受信品質が低下した場合には、強階層に切替えられることにより、弱階層の場合と比較して良好な受信状態を確保することができる。しかし、車載ディスプレイは、携帯端末のディスプレイと比較して、そのサイズが大きい。このため、車載ディスプレイに、強階層の映像信号が出力された場合には、見栄えが悪くなる。従って、映像については、弱階層と強階層との間で切替えが行われることにより、多少の途切れが生じるが、できる限り強階層によるきれいな映像が表示されるのが好ましい。一方、弱階層と強階層との間で切替えが行われることにより音声が途切れると、聞き漏らしてしまうなどの不都合が生じる。従って、音声についてはできる限り途切れない方が好ましい。
【０００５】
そこで、受信階層の切替えを映像信号と音声信号とで独立に行う方法として、階層伝送により同一内容の番組が高品質な映像信号及び音声信号を含む階層と低品質な映像信号及び音声信号を含む階層で同時伝送されている場合において、放送信号の信号品質に関する情報と受信階層を判定する閾値とを用いて、映像信号と音声信号の階層切替えを完全に独立に行うデジタル放送受信装置が開示されている（例えば、特許文献１参照）。
【０００６】
このデジタル放送受信装置によれば、弱階層による映像信号を出力し、強階層による音声信号を出力することができる。
【特許文献１】特開２００７−１７４１６９号公報
【発明の開示】
【発明が解決しようとする課題】
【０００７】
しかしながら、上述した背景技術には以下の問題がある。
【０００８】
映像信号又は映像信号が弱階層と強階層とに間で切替えられる場合に、映像と音声との間で時間的なズレが生じる場合がある。例えば、強階層により映像信号と音声信号とが出力されている状況で、映像信号が弱階層に切替えられる場合に、弱階層による映像信号と強階層による音声信号とを同時に出力した場合、映像と音声とに時間的なズレが生じる場合がある。このようなズレが生じた場合には、ユーザに対して違和感を与える。
【０００９】
そこで、本発明は、上述の点に鑑みてなされたものであり、受信階層の切替えを映像信号と音声信号とで独立に行うことができ、該切替えが行われる場合に、映像と音声との同期をとって出力することができる移動体用デジタル放送受信装置及びその制御方法を提供することを目的とする。
【課題を解決するための手段】
【００１０】
上記課題を解決するため、本発明の移動体用デジタル放送受信装置は、
移動体に搭載され、地上波デジタルテレビジョン放送を受信し、表示する移動体用デジタル放送受信装置であって、前記地上波デジタルテレビジョン放送は、固定受信装置向けデジタル放送と、移動体受信装置向けデジタル放送とを含み、
前記地上波デジタルテレビジョン放送の受信品質に応じて、出力する地上波デジタルテレビジョン放送を、映像信号及び音声信号毎に選択する選択手段と、
前記選択手段による選択結果に従って、提供中の地上波デジタルテレビジョン放送と、選択された地上波デジタルテレビジョン放送との時間的なズレ量を、映像信号及び音声信号毎に検出するズレ検出手段と、
前記選択手段による選択結果に従って、固定受信装置向けデジタル放送の映像信号と、移動体受信装置向けデジタル放送の映像信号とを切替える映像切替え制御手段と、
前記選択手段による選択結果に従って、固定受信装置向けデジタル放送の音声信号と、移動体受信装置向けデジタル放送の音声信号とを切替える音声切替え制御手段と、
前記ズレ検出手段により検出されたズレ量に従って、映像信号及び音声信号の内、進んでいる信号を該ズレ量遅延させて出力させる遅延制御手段と
を備えることを特徴の１つとする。
【００１１】
このように構成することにより、固定受信装置向けデジタル放送と移動体受信装置向けデジタル放送との間で映像信号及び音声信号が切替えられる場合に、映像信号と音声信号とを同期させて出力できる。このため、固定受信装置向けデジタル放送と移動体受信装置向けデジタル放送との切替えに伴って、映像信号と音声信号とがズレることによりユーザに与える違和感を低減できる。
【００１２】
また、別の構成では、
映像信号及び音声信号共に移動体受信装置向けデジタル放送が提供されている状況で、映像信号を固定受信装置向けデジタル放送に切替えると判断した場合に、
前記ズレ検出手段は、前記移動体受信装置向けデジタル放送の映像信号と前記固定受信装置向けデジタル放送の映像信号とのズレ量を検出し、
前記遅延制御手段は、前記固定受信装置向けデジタル放送の映像信号が前記移動体受信装置向けデジタル放送の映像信号より遅れている場合、前記移動体受信装置向けデジタル放送の音声信号を該ズレ量遅延させて出力させるように構成される。
【００１３】
さらに、別の構成では、
前記遅延制御手段は、前記固定受信装置向けデジタル放送の映像信号が前記移動体受信装置向けデジタル放送の映像信号より進んでいる場合、前記固定受信装置向けデジタル放送の映像信号を該ズレ量遅延させて出力させるように構成される。
【００１４】
このように構成することにより、映像信号及び音声信号共に移動体受信装置向けデジタル放送が提供されている状況で、映像信号を固定受信装置向けデジタル放送に切替えることができる。また、固定受信装置向けデジタル放送の映像信号が移動体受信装置向けデジタル放送の映像信号より遅れている場合に、移動体受信装置向けデジタル放送の音声信号をズレ量遅延させて出力させることができる。また、固定受信装置向けデジタル放送の映像信号が移動体受信装置向けデジタル放送の映像信号より進んでいる場合に、固定受信装置向けデジタル放送の映像信号をズレ量遅延させて出力させることができる。
【００１５】
また、別の構成では、
映像信号及び音声信号共に固定向けデジタル放送が提供されている状況で、音声信号を移動体受信装置向けデジタル放送に切替えると判断した場合に、
前記ズレ検出手段は、前記固定受信装置向けデジタル放送の音声信号と前記移動体受信装置向けデジタル放送の音声信号とのズレ量を検出し、
前記遅延制御手段は、前記移動体受信装置向けデジタル放送の音声信号が前記固定受信装置向けデジタル放送の音声信号より遅れている場合、前記固定受信装置向けデジタル放送の映像信号を該ズレ量遅延させて出力させるように構成される。
【００１６】
さらに、別の構成では、
前記遅延制御手段は、前記移動体受信装置向けデジタル放送の映像信号が前記固定受信装置向けデジタル放送の映像信号より進んでいる場合、前記移動体受信装置向けデジタル放送の音声信号を該ズレ量遅延させて出力させるように構成される。
【００１７】
このように構成することにより、映像信号及び音声信号共に固定向けデジタル放送が提供されている状況で、音声信号を移動体受信装置向けデジタル放送に切替えることができる。また、移動体受信装置向けデジタル放送の音声信号が固定受信装置向けデジタル放送の音声信号より遅れている場合に、固定受信装置向けデジタル放送の映像信号をズレ量遅延させて出力させることができる。また、移動体受信装置向けデジタル放送の映像信号が固定受信装置向けデジタル放送の映像信号より進んでいる場合に、移動体受信装置向けデジタル放送の音声信号をズレ量遅延させて出力させることができる。
【００１８】
また、別の構成では、
映像信号及び音声信号共に固定向けデジタル放送が提供されている状況で、映像信号を移動体受信装置向けデジタル放送に切替えると判断した場合に、
前記ズレ検出手段は、前記固定受信装置向けデジタル放送の映像信号と前記移動体受信装置向けデジタル放送の映像信号とのズレ量を検出し、
前記遅延制御手段は、前記移動体受信装置向けデジタル放送の映像信号が前記固定受信装置向けデジタル放送の映像信号より遅れている場合、前記固定受信装置向けデジタル放送の音声信号を該ズレ量遅延させて出力させるように構成される。
【００１９】
さらに、別の構成では、
前記遅延制御手段は、前記移動体受信装置向けデジタル放送の映像信号が前記固定受信装置向けデジタル放送の映像信号より進んでいる場合、前記移動体受信装置向けデジタル放送の映像信号を該ズレ量遅延させて出力させるように構成される。
【００２０】
このように構成することにより、映像信号及び音声信号共に固定向けデジタル放送が提供されている状況で、映像信号を移動体受信装置向けデジタル放送に切替えることができる。また、移動体受信装置向けデジタル放送の映像信号が固定受信装置向けデジタル放送の映像信号より遅れている場合に、固定受信装置向けデジタル放送の音声信号をズレ量遅延させて出力させることができる。また、移動体受信装置向けデジタル放送の映像信号が固定受信装置向けデジタル放送の映像信号より進んでいる場合に、移動体受信装置向けデジタル放送の映像信号をズレ量遅延させて出力させることができる。
【００２１】
本発明の移動体用デジタル放送受信装置における制御方法は、
移動体に搭載され、地上波デジタルテレビジョン放送を受信し、表示する移動体用デジタル放送受信装置における制御方法であって、前記地上波デジタルテレビジョン放送は、固定受信装置向けデジタル放送と、移動体受信装置向けデジタル放送とを含み、
前記地上波デジタルテレビジョン放送の受信品質に応じて、出力する地上波デジタルテレビジョン放送を、映像信号及び音声信号毎に選択する選択ステップと、
前記選択ステップによる選択結果に従って、提供中の地上波デジタルテレビジョン放送と、選択された地上波デジタルテレビジョン放送との時間的なズレ量を、映像信号及び音声信号毎に検出するズレ検出ステップと、
前記選択ステップによる選択結果に従って、固定受信装置向けデジタル放送の映像信号と、移動体受信装置向けデジタル放送の映像信号とを切替える映像切替えステップと、
前記選択ステップによる選択結果に従って、固定受信装置向けデジタル放送の音声信号と、移動体受信装置向けデジタル放送の音声信号とを切替える映像切替えステップと、
前記ズレ検出ステップにより検出されたズレ量に従って、映像信号及び音声信号の内、進んでいる信号を該ズレ量遅延させて出力させる遅延制御ステップと
を有することを特徴の１つとする。
【００２２】
このようにすることにより、固定受信装置向けデジタル放送と移動体受信装置向けデジタル放送との間で、映像信号及び音声信号が切替えられる場合に、映像信号と音声信号とを同期させて出力できる。このため、固定受信装置向けデジタル放送と移動体受信装置向けデジタル放送との切替えに伴って、映像信号と音声信号とがズレることによりユーザに与える違和感を低減できる。
【発明の効果】
【００２３】
本発明の実施例によれば、受信階層の切替えを映像信号と音声信号とで独立に行うことができ、該切替えが行われる場合に、映像と音声との同期をとって出力することができる移動体用デジタル放送受信装置及びその制御方法を実現できる。
【発明を実施するための最良の形態】
【００２４】
次に、本発明を実施するための最良の形態を、以下の実施例に基づき図面を参照しつつ説明する。
なお、実施例を説明するための全図において、同一機能を有するものは同一符号を用い、繰り返しの説明は省略する。
【００２５】
本発明の実施例に係る移動体用デジタル放送受信装置について、図１を参照して説明する。
【００２６】
本実施例に係る移動体用デジタル放送受信装置１００は、移動体に搭載され、各放送局から中継局等を介して送信される地上波デジタルテレビジョン(DTV:  Digital  Television)放送を受信する。移動体には、車両が含まれる。
【００２７】
地上波デジタルＴＶ放送では、各放送局に割り当てられた伝送帯域が複数のセグメントに分割され、１つ以上のセグメントで構成される階層を複数同時に伝送する階層伝送が行われる。階層伝送では、階層を構成するセグメント数が多いほど、高解像度の映像を伝送できるが、車両等において移動中にデータ誤り無く受信するのは困難になる。そこで、例えば、日本が準拠しているＩＳＤＢ−Ｔ(Integrated  Services  Digital  Broadcasting for  Terrestrial)方式では、１チャネルのデジタル放送用帯域を１３個のセグメントに分割し、その中の１２個のセグメントを使用して固定受信装置向けに高解像度の映像を提供し、残りの１個のセグメントを使用して移動体受信装置向けに伝送誤りに対する耐性の高い伝送方式による低解像度の映像を提供する。
【００２８】
１２個のセグメントを使用した固定受信装置向けのデジタル放送（以下、固定向けデジタル放送と呼ぶ）は、例えばＭＰＥＧ−２(Moving  Picture  Experts  Group  phase  2)により圧縮され符号化された高ビットレートの放送であり、１個のセグメントを使用した移動体受信装置向けのデジタル放送（以下、移動体向けデジタル放送と呼ぶ）は、例えばＨ．２６４により圧縮され符号化された低ビットレートの放送である。Ｈ．２６４は、ＭＰＥＧ−４  ＡＶＣ(MPEG-4  Part  10  Advanced  Video  Coding)とも呼ばれてもよい。
【００２９】
本実施例に係る移動体用デジタル放送受信装置１００は、固定向けデジタル放送と移動体向けデジタル放送の受信の切替えが行われる。また、移動体用デジタル放送受信装置１００は、受信階層の切替えを映像信号と音声信号とで独立に行うことができる。また、移動体用デジタル放送受信装置１００は、映像信号及び音声信号の一方が固定向けデジタル放送と移動体向けデジタル放送との間で切り替えられた場合には、映像と音声との同期をとって出力する。
【００３０】
本実施例に係る移動体用デジタル受信放送装置１００は、アンテナ１０２を備える。アンテナ１０２は、地上波デジタルテレビジョン放送の放送波を受信する。地上波デジタルテレビジョン放送には、固定受信装置向けデジタル放送と、移動体受信装置向けデジタル放送とが含まれる。
【００３１】
また、移動体用デジタル受信放送装置１００は、フロントエンド部１０４を備える。フロントエンド部１０４は、選局されたチャンネルのチャンネル周波数に同調し、アンテナ１０２に受信された放送波を中間周波数に変換し増幅する。そして、フロントエンド部１０４は、中間周波数の信号レベルを検出し、その信号レベルに基づいてアンテナ１０２に受信される放送波のレベル変化（受信電界強度）を検出し、検出結果を放送波の受信状況データ（受信品質）として、受信状況判定部１１０に入力する。また、受信状況データとして、受信電力を検出するようにしてもよい。
【００３２】
また、移動体用デジタル受信放送装置１００は、ＯＦＤＭ復調部１０６を備える。ＯＦＤＭ復調部１０６は、フロントエンド部１０４により入力された放送信号の復調・復号を行う。ＯＦＤＭ復調部１０６は、放送信号を同期しながら復調し、誤り検出及び訂正を行った後に復号したトランスポートストリーム（TS:  Transport  Stream）を多重分離部１０８に入力する。ＯＦＤＭ復調部１０６は、ＴＳのパケットエラーの有無からその発生率を測定し、或いは、誤り訂正前後のビットエラー率を検出し、発生率或いは検出結果を放送波の受信状況データとして、受信状況判定部１１０に入力する。また、受信状況データとして、受信率を検出するようにしてもよい。受信率とは、全受信期間における、音声又は映像が正確に出力できている期間の割合を示す。例えば、ビットエラー率が含まれる。
【００３３】
また、移動体用デジタル受信放送装置１００は、多重分離部１０８を備える。多重分離部１０８は、入力されたトランスポートストリームを弱階層信号と強階層信号とに分離し、弱階層信号を弱階層デコード部１１２に入力し、強階層信号を強階層デコード部１１４に入力する。言い換えれば、多重分離部１０８は、入力されたトランスポートストリームを固定向けデジタル放送の信号と移動体向けデジタル放送の信号とに分離し、固定向けデジタル放送の信号を弱階層デコード部１１２に入力し、移動体向けデジタル放送の信号を強階層信号を強階層デコード部１１４に入力する。
【００３４】
また、移動体用デジタル受信放送装置１００は、弱階層デコード部１１２を備える。弱階層デコード部１１２は、入力された弱階層信号をデコードし、弱階層映像信号を映像切替制御部１１８及び映像ズレ検出部１２０に入力し、弱階層音声信号を音声切替制御部１２６及び音声ズレ検出部１２８に入力する。言い換えれば、弱階層デコード部１１２は、入力された固定向けデジタル放送の信号をデコードし、固定向けデジタル信号の映像信号を映像切替制御部１１８及び映像ズレ検出部１２０に入力し、移動体向けデジタル信号の音声信号を音声切替制御部１２６及び音声ズレ検出部１２８に入力する。
【００３５】
また、移動体用デジタル受信放送装置１００は、強階層デコード部１１４を備える。強階層デコード部１１４は、入力された強階層信号をデコードし、強階層映像信号を映像切替制御部１１８及び映像ズレ検出部１２０に入力し、強階層音声信号を音声切替制御部１２６及び音声ズレ検出部１２８に入力する。言い換えれば、強階層デコード部１１４は、入力された移動体向けデジタル放送の信号をデコードし、移動体向けデジタル信号の映像信号を映像切替制御部１１８及び映像ズレ検出部１２０に入力し、移動体向けデジタル信号の音声信号を音声切替制御部１２６及び音声ズレ検出部１２８に入力する。
【００３６】
また、移動体用デジタル受信放送装置１００は、選択手段としての受信状況判定部１１０を備える。受信状況判定部１１０は、フロントエンド部１０４及びＯＦＤＭ復調部１０６により入力された受信状況データに基づいて、映像信号及び音声信号毎に、固定向け放送を受信できるか否かを判定する。ここで、受信状況データには、受信電界強度、受信電力、ＴＳのパケットエラー、ビットエラー率、受信率などの受信品質が含まれる。例えば、受信電界強度及び受信電力はフロントエンド部１０４により入力され、ＴＳのパケットエラー、ビットエラー率及び受信率はＯＦＤＭ復調部１０６により入力される。例えば、受信状況判定部１１０は、固定向けデジタル放送の放送波に関する受信状況の良否を示す程度（度合い）を求め、該受信状況の良否を示す程度に基づいて、映像信号及び音声信号毎に固定向けデジタル放送を受信できるか否かを判定する。受信状況の良否を示す程度には、例えば、単位時間当たりにおける音声・映像を正常に出力する期間（累計）の割合（受信率）や受信電力、ビットエラー率自体等が含まれる。
【００３７】
受信状況判定部１１０は、映像信号において固定向けデジタル放送を受信できると判断した場合、映像切替制御部１１８に対して固定向けデジタル放送に切り替える映像切り替え命令を入力し、映像信号において固定向けデジタル放送を受信できないと判断した場合、映像切替制御部１１８に対して移動体向けデジタル放送に切り替える映像切り替え命令を入力する。すなわち、映像切り替え命令には、固定向けデジタル放送又は移動体向けデジタル放送を示す情報が含まれる。また、受信状況判定部１１０は、音声信号において固定向けデジタル放送を受信できると判断した場合、音声切替制御部１２６に対して固定向けデジタル放送に切り替える音声切り替え命令を入力し、音声信号において固定向けデジタル放送を受信できないと判断した場合、音声切替制御部１２６に対して移動体向けデジタル放送に切り替える音声切り替え命令を入力する。すなわち、音声切り替え命令には、固定向けデジタル放送又は移動体向けデジタル放送を示す情報が含まれる。
【００３８】
また、移動体用デジタル受信放送装置１００は、映像切り替え制御部１１８を備える。映像切り替え制御部１１８は、受信状況判定部１１０により入力された映像切り替え命令に従って、固定向けデジタル放送の映像信号又は移動体向けデジタル放送の映像信号を選択し、該選択された映像信号を映像遅延回路１２２に出力する。
【００３９】
また、移動体用デジタル受信放送装置１００は、ズレ検出手段としての映像ズレ検出部１２０を備える。映像ズレ検出部１２０は、映像切替制御部１１８に対して受信状況判定部１１０により映像切り替え信号が入力された場合に、該映像切り替え信号に含まれる固定向けデジタル放送又は移動体向けデジタル放送を示す情報に従って、該情報が提供中の地上波デジタルテレビジョン放送と異なる場合に、該映像切り替え信号に含まれる地上波デジタルテレビジョン放送と、提供中の地上波デジタルテレビジョン放送との時間的なズレ量を求める。そして、映像ズレ検出部１２０は、求めたズレ量を遅延制御部１２４に入力する。
【００４０】
例えば、映像信号及び音声信号共に移動体向けデジタル放送が提供されている状況で、固定向けデジタル放送を示す情報が含まれる映像切り替え信号が入力された場合に、映像ズレ検出部１２０は、提供中の移動体向けデジタル放送の映像信号と、固定向けデジタル放送の映像信号との時間的なズレを検出する。固定向けデジタル放送の映像信号に対して、移動体向けデジタル放送の映像信号が進んでいる場合もあるし、遅れている場合もある。具体的には、移動体向けデジタル放送の映像信号及び固定向けデジタル放送の映像信号の各々に付加されたフレーム番号を比較することによりズレ量を求めることができる。また、例えば、映像信号及び音声信号共に固定向けデジタル放送が提供されている状況で、移動体向けデジタル放送を示す情報が含まれる映像切り替え信号が入力された場合には、映像ズレ検出部１２０は、提供中の固定向けデジタル放送の映像信号と、移動体向けデジタル放送の映像信号との時間的なズレを検出する。
【００４１】
また、移動体用デジタル受信放送装置１００は、音声切り替え制御部１２６を備える。音声切り替え制御部１２６は、受信状況判定部１１０により入力された音声切り替え命令に従って、固定向けデジタル放送の音声信号又は移動体向けデジタル放送の音声信号を選択し、該選択された音声信号を音声遅延回路１３０に出力する。
【００４２】
また、移動体用デジタル受信放送装置１００は、ズレ検出手段としての音声ズレ検出部１２８を備える。音声ズレ検出部１２８は、音声切替制御部１２６に対して受信状況判定部１１０により音声切り替え信号が入力された場合に、該音声切り替え信号に含まれる固定向けデジタル放送又は移動体向けデジタル放送を示す情報に従って、該情報が提供中の地上波デジタルテレビジョン放送と異なる場合に、該音声切り替え信号に含まれる地上波デジタルテレビジョン放送の音声信号と、提供中の地上波デジタルテレビジョン放送の音声信号との時間的なズレ量を求める。そして、音声ズレ検出部１２８は、求めたズレ量を遅延制御部１２４に入力する。
【００４３】
例えば、映像信号及び音声信号共に固定向けデジタル放送が提供されている状況で、移動体向けデジタル放送を示す情報が含まれる音声切り替え信号が入力された場合に、音声ズレ検出部１２８は、提供中の固定向けデジタル放送の音声信号と、移動体向けデジタル放送の音声信号との時間的なズレを検出する。固定向けデジタル放送の音声信号に対して、移動体向けデジタル放送の音声信号が進んでいる場合もあるし、遅れている場合もある。また、例えば、映像信号及び音声信号共に移動体向けデジタル放送が提供されている状況で、固定向けデジタル放送を示す情報が含まれる音声切り替え信号が入力された場合に、音声ズレ検出部１２８は、提供中の移動体向けデジタル放送の音声信号と、固定向けデジタル放送の音声信号との時間的なズレを検出する。移動体向けデジタル放送の音声信号に対して、固定向けデジタル放送の音声信号が進んでいる場合もあるし、遅れている場合もある。
【００４４】
具体的には、移動体向けデジタル放送の音声信号及び固定向けデジタル放送の音声信号の各々に対してアナログ変換を行う。そして、アナログ変換された移動体向けデジタル放送の音声信号及び固定向けデジタル放送の音声信号に対してフィルタをかけて、特定の周波数成分を取り出す。そして、取り出された特定の周波数成分のレベル変動を比較することによりズレ量を求めることができる。ここで、特定の周波数としては、音声信号で重要な１ｋＨｚなどが含まれる。このズレ量の算出は、映像切り替え信号が入力された場合に行われるようにしてもよいし、電波状態が急速に変化した場合に対応できる観点からは、移動体向けデジタル放送及び固定向けデジタル放送の両方を受信できる状態に予め実施しておく方が望ましい。このようにすることにより、電波状態が変化した場合に、移動体向けデジタル放送しか受信できない状況となった場合においても、スムーズにズレ量を出力することができる。
【００４５】
また、移動体用デジタル受信放送装置１００は、遅延制御部１２４を備える。遅延制御部１２４は、映像ズレ検出部１２０により入力されたズレ量又は音声ズレ量検出部１２８により入力されたズレ量に基づいて、映像又は音声に対するズレ量（遅延量）を求める。そして、遅延制御部１２４は、映像信号及び音声信号の内、進んでいる信号を該ズレ量分遅延させて出力させる。
【００４６】
例えば、映像信号及び音声信号共に移動体向けデジタル放送を提供している状況で、映像信号を固定向けデジタル放送に切替えると判断した場合に、映像ズレ検出部１２０によりズレ量が入力され、該ズレ量が固定向けデジタル放送の映像信号の方が遅れていることを示す情報である場合、遅延制御部１２４は、音声遅延回路１３０に対して、該ズレ量だけ遅延させて出力するように命令する。また、映像信号及び音声信号共に移動体向けデジタル放送を提供している状況で、映像信号を固定向けデジタル放送に切替えると判断した場合に、映像ズレ検出部１２０によりズレ量が入力され、該ズレ量が固定向けデジタル放送の映像信号の方が進んでいることを示す情報である場合、遅延制御部１２４は、映像遅延回路１２２に対して、該ズレ量だけ遅延させて出力するように命令する。
【００４７】
また、例えば、映像信号及び音声信号共に移動体向けデジタル放送を提供している状況で、音声信号を固定向けデジタル放送に切替えると判断した場合に、音声ズレ検出部１２８によりズレ量が入力され、該ズレ量が固定向けデジタル放送の音声信号の方が遅れていることを示す情報である場合、遅延制御部１２４は、映像遅延回路１２２に対して、該ズレ量だけ遅延させて出力するように命令する。また、映像信号及び音声信号共に移動体向けデジタル放送を提供している状況で、音声信号を固定向けデジタル放送に切替えると判断した場合に、音声ズレ検出部１２８によりズレ量が入力され、該ズレ量が固定向けデジタル放送の音声信号の方が進んでいることを示す情報である場合、遅延制御部１２４は、音声遅延回路１３０に対して、該ズレ量だけ遅延させて出力するように命令する。
【００４８】
また、例えば、映像信号及び音声信号共に固定向けデジタル放送を提供している状況で、音声信号を移動体向けデジタル放送に切替えると判断した場合に、音声ズレ検出部１２８によりズレ量が入力され、該ズレ量が移動体向けデジタル放送の方が遅れていることを示す情報である場合、遅延制御部１２４は、映像遅延回路１２２に対して、該ズレ量だけ遅延させて出力するように命令する。また、映像信号及び音声信号共に固定向けデジタル放送を提供している状況で、音声信号を移動体向けデジタル放送に切替えると判断した場合に、音声ズレ検出部１２８によりズレ量が入力され、該ズレ量が移動体向けデジタル放送の方が進んでいることを示す情報である場合、遅延制御部１２４は、音声遅延回路１３０に対して、該ズレ量だけ遅延させて出力するように命令する。
【００４９】
また、例えば、映像信号及び音声信号共に固定向けデジタル放送を提供している状況で、映像信号を移動体向けデジタル放送に切替えると判断した場合に、映像ズレ検出部１２０によりズレ量が入力され、該ズレ量が移動体向けデジタル放送の方が遅れていることを示す情報である場合、遅延制御部１２４は、音声遅延回路１３０に対して、該ズレ量だけ遅延させて出力するように命令する。また、映像信号及び音声信号共に固定向けデジタル放送を提供している状況で、映像信号を移動体向けデジタル放送に切替えると判断した場合に、映像ズレ検出部１２０によりズレ量が入力され、該ズレ量が移動体向けデジタル放送の方が進んでいることを示す情報である場合、遅延制御部１２４は、映像遅延回路１２２に対して、該ズレ量だけ遅延させて出力するように命令する。
【００５０】
また、移動体用デジタル受信放送装置１００は、映像遅延回路１２２を備える。映像遅延回路１２２は、遅延制御部１２４により入力されたズレ量に従って、固定向けデジタル信号に含まれる映像信号又は移動体向けデジタル信号に含まれる映像信号を該ズレ量遅延させて出力する。
【００５１】
また、移動体用デジタル受信放送装置１００は、音声遅延回路１３０を備える。音声遅延回路１３０は、遅延制御部１２４により入力されたズレ量に従って、固定向けデジタル信号に含まれる音声信号又は移動体向けデジタル信号に含まれる音声信号を該音声ズレ量遅延させて出力する。
【００５２】
また、移動体用デジタル受信放送装置１００は、映像表示部１３２を備える。映像表示部１３２は、映像遅延回路１２２により入力された映像信号を出力（表示）する。
【００５３】
また、移動体用デジタル受信放送装置１００は、音声出力部１３４を備える。音声出力部１３４は、音声遅延回路１３０により入力された音声信号を出力する。
【００５４】
次に、本実施例に係る移動体用デジタル受信放送装置１００の動作について、図２を参照して説明する。
【００５５】
本実施例では、映像信号及び音声信号共に移動体向けデジタル放送が提供されている状況で、映像信号を固定向けデジタル放送に切替えると判断した場合について説明する。
【００５６】
移動体用デジタル受信放送装置１００は、これまで提供している移動体向けデジタル放送の映像信号と、固定向けデジタル放送の映像信号との時間的なズレ量を測定する（ステップＳ２０２）。具体的には、受信状況判定部１１０は、映像信号において固定向けデジタル放送を受信できる判断した場合、映像切替制御部１１８に対して固定向けデジタル放送に切り替える映像切り替え命令を入力する。映像切り替え制御部１１８は、受信状況判定部１１０により入力された映像切り替え命令に従って、固定向けデジタル放送の映像信号を選択し、該選択された映像信号を映像遅延回路１２２に出力する。一方、映像ズレ検出部１２０は、映像切替制御部１１８に対して受信状況判定部１１０により映像切り替え信号が入力された場合に、該映像切り替え信号に含まれる固定向けデジタル放送を示す情報に従って、該情報が提供中の移動体向けデジタル放送とは異なるので、固定向けデジタル放送の映像信号と、提供中の移動体向けテレビジョン放送の映像信号との時間的なズレを求める。そして、映像ズレ検出部１２８は、求めたズレ量を遅延制御部１２４に入力する。
【００５７】
移動体用デジタル受信放送装置１００は、入力されたズレ量に基づいて、固定向けデジタル放送の映像信号の方が遅れているか否かを判断する（ステップＳ２０４）。具体的には、遅延制御部１２４は、入力されたズレ量に基づいて、固定向けデジタル放送の映像信号の方が遅れているかを判断する。
【００５８】
固定向けデジタル放送の映像信号の方が遅れていると判断した場合（ステップＳ２０４：ＹＥＳ）、移動体用デジタル受信放送装置１００は、移動体向けデジタル放送の音声信号を該ズレ量分遅延させて出力する（ステップＳ２０６）。具体的には、遅延制御部１２４は、固定向けデジタル放送の映像信号の方が遅れていると判断した場合、音声遅延回路１３０に対して、該ズレ量分遅延させて出力するように命令する。音声遅延回路１３０は、遅延制御部１２４による命令に従って、音声切替制御部１２６により入力された移動体向けデジタル放送の音声信号を、該ズレ量遅延させて出力する。その結果、固定向けデジタル放送の映像信号と移動体向けデジタル信号の音声信号とが同期をとって出力される。
【００５９】
一方、固定向けデジタル放送の映像信号の方が遅れていると判断されない場合（ステップＳ２０４：ＮＯ）、すなわち、固定向けデジタル放送の映像信号の方が進んでいると判断した場合、移動体用デジタル受信放送装置１００は、固定向けデジタル放送の映像信号を該ズレ量分遅延させて出力する（ステップＳ２０８）。具体的には、遅延制御部１２４は、固定向けデジタル放送の映像信号の方が進んでいると判断した場合、映像遅延回路１２２に対して、該ズレ量分遅延させて出力するように命令する。映像遅延回路１２２は、遅延制御部１２４による命令に従って、映像切替制御部１１８により入力された固定向けデジタル放送の映像信号を、該ズレ量分遅延させて出力する。その結果、固定向けデジタル放送の映像信号と移動体向けデジタル信号の音声信号とが同期をとって出力される。
【００６０】
次に、本実施例に係る移動体用デジタル受信放送装置１００の他の動作について、図３を参照して説明する。
【００６１】
本実施例では、映像信号及び音声信号共に移動体向けデジタル放送が提供されている状況で、音声信号を固定向けデジタル放送に切替えると判断した場合について説明する。
【００６２】
移動体用デジタル受信放送装置１００は、これまで提供している移動体向けデジタル放送の音声信号と、固定向けデジタル放送の音声信号との時間的なズレ量を測定する（ステップＳ３０２）。具体的には、受信状況判定部１１０は、音声信号において固定向けデジタル放送を受信できる判断した場合、音声切替制御部１２６に対して固定向けデジタル放送に切り替える音声切り替え命令を入力する。音声切り替え制御部１２６は、受信状況判定部１１０により入力された音声切り替え命令に従って、固定向けデジタル放送の音声信号を選択し、該選択された音声信号を音声遅延回路１３０に出力する。一方、音声ズレ検出部１２８は、音声切替制御部１２６に対して受信状況判定部１１０により音声切り替え信号が入力された場合に、該音声切り替え信号に含まれる固定向けデジタル放送を示す情報に従って、該情報が提供中の移動体向けデジタル放送とは異なるので、固定向けデジタル放送の音声信号と、提供中の移動体向けテレビジョン放送の音声信号との時間的なズレを求める。そして、音声ズレ検出部１２８は、求めたズレ量を遅延制御部１２４に入力する。
【００６３】
移動体用デジタル受信放送装置１００は、入力されたズレ量に基づいて、固定向けデジタル放送の音声信号の方が遅れているか否かを判断する（ステップＳ３０４）。具体的には、遅延制御部１２４は、入力されたズレ量に基づいて、固定向けデジタル放送の音声信号の方が遅れているかを判断する。
【００６４】
固定向けデジタル放送の音声信号の方が遅れていると判断した場合（ステップＳ３０４：ＹＥＳ）、移動体用デジタル受信放送装置１００は、移動体向けデジタル放送の映像信号を該ズレ量分遅延させて出力する（ステップＳ３０６）。具体的には、遅延制御部１２４は、固定向けデジタル放送の音声信号の方が遅れていると判断した場合、映像遅延回路１２２に対して、該ズレ量分遅延させて出力するように命令する。映像遅延回路１２２は、遅延制御部１２４による命令に従って、映像切替制御部１１８により入力された移動体向けデジタル放送の映像信号を、該ズレ量遅延させて出力する。その結果、移動体向けデジタル放送の映像信号と固定向けデジタル信号の音声信号とが同期をとって出力される。
【００６５】
一方、固定向けデジタル放送の音声信号の方が遅れていると判断されない場合（ステップＳ３０４：ＮＯ）、すなわち、固定向けデジタル放送の音声信号の方が進んでいると判断した場合、移動体用デジタル受信放送装置１００は、固定向けデジタル放送の音声信号を該ズレ量分遅延させて出力する（ステップＳ３０８）。具体的には、遅延制御部１２４は、固定向けデジタル放送の映像信号の方が進んでいると判断した場合、映像遅延回路１２２に対して、該ズレ量分遅延させて出力するように命令する。映像遅延回路１２２は、遅延制御部１２４による命令に従って、映像切替制御部１１８により入力された移動体向けデジタル放送の映像信号を、該ズレ量分遅延させて出力する。その結果、移動体向けデジタル放送の映像信号と固定向けデジタル信号の音声信号とが同期をとって出力される。
【００６６】
次に、本実施例に係る移動体用デジタル受信放送装置１００の他の動作について、図４を参照して説明する。
【００６７】
本実施例では、映像信号及び音声信号共に固定向けデジタル放送が提供されている状況で、音声信号を移動体向けデジタル放送に切替えると判断した場合について説明する。
【００６８】
移動体用デジタル受信放送装置１００は、これまで提供している固定向けデジタル放送の音声信号と、移動体向けデジタル放送の音声信号との時間的なズレ量を測定する（ステップＳ４０２）。具体的には、受信状況判定部１１０は、音声信号において固定向けデジタル放送を受信できないと判断した場合、音声切替制御部１２６に対して移動体向けデジタル放送に切り替える音声切り替え命令を入力する。音声切り替え制御部１２６は、受信状況判定部１１０により入力された音声切り替え命令に従って、移動体向けデジタル放送の音声信号を選択し、該選択された音声信号を音声遅延回路１３０に出力する。一方、音声ズレ検出部１２８は、音声切替制御部１２６に対して受信状況判定部１１０により音声切り替え信号が入力された場合に、該音声切り替え信号に含まれる移動体向けデジタル放送を示す情報に従って、該情報が提供中の固定向けデジタル放送とは異なるので、移動体向けデジタル放送の音声信号と、提供中の固定向けテレビジョン放送の音声信号との時間的なズレ量を求める。そして、音声ズレ検出部１２８は、求めたズレ量を遅延制御部１２４に入力する。
【００６９】
移動体用デジタル受信放送装置１００は、入力されたズレ量に従って、移動体向けデジタル放送の音声信号の方が遅れているか否かを判断する（ステップＳ４０４）。具体的には、遅延制御部１２４は、入力されたズレ量に基づいて、移動体向けデジタル放送の音声信号の方が遅れているかを判断する。
【００７０】
移動体向けデジタル放送の音声信号の方が遅れていると判断した場合（ステップＳ４０４：ＹＥＳ）、移動体用デジタル受信放送装置１００は、固定向けデジタル放送の映像信号を該ズレ量分遅延させて出力する（ステップＳ４０６）。具体的には、遅延制御部１２４は、移動体向けデジタル放送の音声信号の方が遅れていると判断した場合、映像遅延回路１２２に対して、該ズレ量分遅延させて出力するように命令する。映像遅延回路１２２は、遅延制御部１２４による命令に従って、映像切替制御部１１８により入力された固定向けデジタル放送の映像信号を、該ズレ量分遅延させて出力する。その結果、固定向けデジタル放送の映像信号と移動体向けデジタル信号の音声信号とが同期をとって出力される。
【００７１】
一方、移動体向けデジタル放送の音声信号の方が遅れていると判断されない場合（ステップＳ４０４：ＮＯ）、すなわち、移動体向けテレビジョン放送の音声信号の方が進んでいると判断した場合、移動体用デジタル受信放送装置１００は、移動体向けデジタル放送の音声信号を該音声ズレ量分遅延させて出力する（ステップＳ４０８）。具体的には、遅延制御部１２４は、移動体向けデジタル放送の音声信号の方が進んでいると判断した場合、音声遅延回路１３０に対して、該ズレ量分遅延させて出力するように命令する。音声遅延回路１３０は、遅延制御部１２４による命令に従って、音声切替制御部１２６により入力された移動体向けデジタル放送の音声信号を、該ズレ量分遅延させて出力する。その結果、固定向けデジタル放送の映像信号と移動体向けデジタル信号の音声信号とが同期をとって出力される。
【００７２】
次に、本実施例に係る移動体用デジタル受信放送装置１００の他の動作について、図５を参照して説明する。
【００７３】
本実施例では、映像信号及び音声信号共に固定向けデジタル放送が提供されている状況で、映像信号を移動体向けデジタル放送に切替えると判断した場合について説明する。
【００７４】
移動体用デジタル受信放送装置１００は、これまで提供している固定向けデジタル放送の映像信号と、移動体向けデジタル放送の映像信号との時間的なズレ量を測定する（ステップＳ５０２）。具体的には、受信状況判定部１１０は、映像信号において固定向けデジタル放送を受信できないと判断した場合、映像切替制御部１１８に対して移動体向けデジタル放送に切り替える映像切り替え命令を入力する。映像切替制御部１１８は、受信状況判定部１１０により入力された映像切り替え命令に従って、移動体向けデジタル放送の映像信号を選択し、該選択された映像信号を映像遅延回路１２２に出力する。一方、映像ズレ検出部１２０は、映像切替制御部１１８に対して受信状況判定部１１０により映像切り替え信号が入力された場合に、該映像切り替え信号に含まれる移動体向けデジタル放送を示す情報に従って、該情報が提供中の固定向けデジタル放送とは異なるので、移動体向けデジタル放送の映像信号と、提供中の固定向けテレビジョン放送の映像信号との時間的なズレ量を求める。そして、映像ズレ検出部１２０は、求めたズレ量を遅延制御部１２４に入力する。
【００７５】
移動体用デジタル受信放送装置１００は、入力されたズレ量に従って、移動体向けデジタル放送の映像信号の方が遅れているか否かを判断する（ステップＳ５０４）。具体的には、遅延制御部１２４は、入力されたズレ量に基づいて、移動体向けデジタル放送の映像信号の方が遅れているかを判断する。
【００７６】
移動体向けデジタル放送の映像信号の方が遅れていると判断した場合（ステップＳ５０４：ＹＥＳ）、移動体用デジタル受信放送装置１００は、固定向けデジタル放送の音声信号を該ズレ量分遅延させて出力する（ステップＳ５０６）。具体的には、遅延制御部１２４は、移動体向けデジタル放送の映像信号の方が遅れていると判断した場合、音声遅延回路１３０に対して、該ズレ量分遅延させて出力するように命令する。音声遅延回路１３０は、遅延制御部１２４による命令に従って、音声切替制御部１２６により入力された固定向けデジタル放送の映像信号を、該ズレ量分遅延させて出力する。その結果、移動体向けデジタル放送の映像信号と固定向けデジタル信号の音声信号とが同期をとって出力される。
【００７７】
一方、移動体向けデジタル放送の映像信号の方が遅れていると判断されない場合（ステップＳ５０４：ＮＯ）、すなわち、移動体向けテレビジョン放送の映像信号の方が進んでいると判断した場合、移動体用デジタル受信放送装置１００は、移動体向けデジタル放送の映像信号を該映像ズレ量分遅延させて出力する（ステップＳ５０８）。具体的には、遅延制御部１２４は、移動体向けデジタル放送の映像信号の方が進んでいると判断した場合、映像遅延回路１２２に対して、該ズレ量分遅延させて出力するように命令する。映像遅延回路１２２は、遅延制御部１２４による命令に従って、映像切替制御部１１８により入力された移動体向けデジタル放送の映像信号を、該ズレ量分遅延させて出力する。その結果、移動体向けデジタル放送の映像信号と固定向けデジタル信号の音声信号とが同期をとって出力される。
【００７８】
本発明の実施例によれば、自動車など移動体で地上波デジタルテレビジョン放送を受信する場合に、複数のチューナを使用して、映像は固定受信装置向けデジタル放送を表示し、音声は移動体受信装置向けデジタル放送を出力できる。この場合、固定受信装置向けデジタル放送と移動体受信装置向けデジタル放送とは、該放送が数秒程度ズレて放送される場合があるが、このズレを無くして（補正して）、映像信号と音声信号とを同期させて出力することができる。
【００７９】
上述した実施例では、一例として映像信号及び音声信号が同様の地上波デジタルテレビジョン放送により提供されている状況で、映像信号及び音声信号の一方が異なる地上波デジタルテレビジョン放送に切替えられる場合について説明したが、映像信号と音声信号とが異なる地上波デジタルテレビジョン放送により提供されている状況で、映像信号及び音声信号の一方が切替えられる場合についても適用できる。
【００８０】
上述した実施例では、一例としてデジタル放送受信装置が車両に搭載される場合に付いて説明したが、車両以外にも、携帯電話、ポータブルデジタルテレビ受信装置にも適用できる。
【００８１】
説明の便宜上、発明の理解を促すため具体的な数値例を用いて説明されるが、特に断りのない限り、それらの数値は単なる一例に過ぎず適切な如何なる値が使用されてよい。
【００８２】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【図面の簡単な説明】
【００８３】
【図１】本発明の一実施例にかかる移動体用デジタル放送受信装置を示す部分ブロック図である。
【図２】本発明の一実施例にかかる移動体用デジタル放送受信装置の動作を示すフロー図である。
【図３】本発明の一実施例にかかる移動体用デジタル放送受信装置の動作を示すフロー図である。
【図４】本発明の一実施例にかかる移動体用デジタル放送受信装置の動作を示すフロー図である。
【図５】本発明の一実施例にかかる移動体用デジタル放送受信装置の動作を示すフロー図である。
【符号の説明】
【００８４】
１００  移動体用デジタル放送受信装置
１０２  アンテナ
１０４  フロントエンド部
１０６  ＯＦＤＭ復調部
１０８  多重分離部
１１０  受信状況判断部
１１２  弱階層デコード部
１１４  強階層デコード部
１１６  制御部
１１８  映像切替制御部
１２０  映像ズレ検出部
１２２  映像遅延回路
１２４  遅延制御部
１２６  音声切替制御部
１２８  音声ズレ検出部
１３０  音声遅延回路
１３２  映像表示部
１３４  音声出力部
【図１】
2009124479.tif 000003
【図２】
2009124479.tif 000004
【図３】
2009124479.tif 000005
【図４】
2009124479.tif 000006
【図５】
2009124479.tif 000007